【手続補正書】
【提出日】平成17年8月30日(2005.8.30)
【手続補正１】
【補正対象書類名】明細書
【補正対象項目名】０００７
【補正方法】変更
【補正の内容】
【０００７】
【発明が解決しようとする課題】
しかしながら、従来の電気泳動表示装置には、メモリー性と消去性との両立という点で改善の余地がある。すなわち、電圧を印加して画像を表示した後に電圧の印加を止めると、短時間で表示内容が消える。一方、メモリー性を向上させると焼き付き等の現象により消去が容易ではなくなり、表示の書き換えが困難となる。
【手続補正２】
【補正対象書類名】明細書
【補正対象項目名】０００８
【補正方法】変更
【補正の内容】
【０００８】
本発明は、このような従来技術の課題を解決するためになされたものであり、メモリー性が良好でしかも消去性にも優れた電気泳動表示装置を提供することを目的とする。
【手続補正３】
【補正対象書類名】明細書
【補正対象項目名】００２７
【補正方法】変更
【補正の内容】
【００２７】
前記第１の材料（前記第１および第２の電気泳動装置では、前記混合物からなる部材を構成する材料、前記第３および第４の電気泳動装置では、前記第１部材を構成する材料）としては、例えば、ポリイタコン酸樹脂、ポリビニルアルコール樹脂、ポリ−ｎ−ビニルピロリドン樹脂、ポリアミド樹脂、ポリウレタン系樹脂、およびアクリル系樹脂が挙げられる。アクリル系樹脂として例えば、ポリアクリル酸２−エチルヘキシル、ポリアクリル酸ヒドロキシエチル、ポリメタクリル酸ヒドロキシプロピル、ポリアクリル酸プロピレングリコール、ポリアクリルアミド、ポリメタクリルアミドなどが挙げられる。
【手続補正４】
【補正対象書類名】明細書
【補正対象項目名】００３０
【補正方法】変更
【補正の内容】
【００３０】
なお、第１の材料と第２の材料の組み合わせとして、表面エネルギーの大きな材料と表面エネルギーの小さな材料との組み合わせが挙げられる。表面エネルギーの大きな材料としては、ポリアクリル酸２−エチルヘキシル、ポリアクリル酸、ポリメタクリル酸、ポリイタコン酸、ポリアクリル酸ヒドロキシエチル、ポリメタクリル酸ヒドロキシプロピル、ポリアクリル酸プロピレングリコール、ポリアクリルアミド、ポリメタクリルアミド、ポリビニルアルコール、ポリ−Ｎ−ビニルピロリドンなどが挙げられる。
【手続補正５】
【補正対象書類名】明細書
【補正対象項目名】００５２
【補正方法】変更
【補正の内容】
【００５２】
結合材７は、アクリル系樹脂とシリコーン系樹脂との混合物からなる。この結合材７が、本発明の第２の電気泳動装置を構成する「部材」に相当する。
この実施形態の電気泳動表示装置による表示方法を、図５を用いて説明する。図５に示すように、この電気泳動表示装置は、図４のパネル１０Ａと駆動回路２０とからなり、駆動回路２０はスイッチ２１と電圧源２２ａ，２２ｂとを備えている。パネル１０Ａの第１の電極３がスイッチ２１に接続され、第２の電極４が電圧源２２ａ，２２ｂの一端に接続されている。
【手続補正６】
【補正対象書類名】明細書
【補正対象項目名】００６１
【補正方法】変更
【補正の内容】
【００６１】
この実施形態の電気泳動表示装置は隔壁型であるため、第３実施形態のマイクロカプセル型の電気泳動表示装置とは異なり、電気泳動粒子６１，６２と液相分散媒６３とからなる電気泳動分散液６０が、第１及び第２の電極３，４間の隔壁８で区画された空間に収容されている。これ以外の構成は第３実施形態と基本的に同じである。すなわち、この電気泳動表示パネル（以下「パネル」と略称する。）は、対向配置された第１の基板１および第２の基板２と、各基板１，２の対向面に固定された第１の電極３および第２の電極４と、を備えている。
【手続補正７】
【補正対象書類名】明細書
【補正対象項目名】００６２
【補正方法】変更
【補正の内容】
【００６２】
そして、この電気泳動表示装置では、電気泳動分散液６０からなる層と第１の電極（透明電極）３との間に、アクリル系樹脂とシリコーン系樹脂との混合物からなる結合材７を設けている。この結合材７が、本発明の第１の電気泳動装置を構成する「部材」に相当する。
また、この装置においても、電気泳動分散液６０は、二酸化チタン粒子からなる白色の電気泳動粒子６１と、アクリル樹脂系粒子からなる黒に着色された電気泳動粒子６２と、ドデシルベンゼンからなる透明な液相分散媒６３とで構成されている。すなわち、この実施形態では、互いに色の異なる正に帯電した粒子（アクリル樹脂系粒子）と負に帯電した粒子（二酸化チタン粒子）とからなる電気泳動粒子を使用している。
【手続補正８】
【補正対象書類名】明細書
【補正対象項目名】００６３
【補正方法】変更
【補正の内容】
【００６３】
また、この装置では、観察面側の第１の電極３に電圧源２２ａ，２２ｂの一端に接続され、第２の電極４にスイッチ２１が接続されている。第１実施形態と同様に、このスイッチ２１を操作して、電気泳動粒子６１を第１の電極３または第２の電極４側に移動させることにより、各画素を白色または黒色にすることができる。
【手続補正９】
【補正対象書類名】明細書
【補正対象項目名】００６９
【補正方法】変更
【補正の内容】
【００６９】
この第１の結合材７１が、本発明の第４の電気泳動装置を構成する「第１部材」に相当し、第２の結合材７２が本発明の第４の電気泳動装置を構成する「第２部材」に相当する。
この実施形態の電気泳動表示装置による表示方法を、図８を用いて説明する。図８に示すように、この電気泳動表示装置は、図８のパネル１０Ｂと駆動回路２０とからなり、駆動回路２０はスイッチ２１と電圧源２２ａ，２２ｂとを備えている。パネル１０Ｂの第１の電極３がスイッチ２１に接続され、第２の電極４が電圧源２２ａ，２２ｂの一端に接続されている。
【手続補正１０】
【補正対象書類名】明細書
【補正対象項目名】００８５
【補正方法】変更
【補正の内容】
【００８５】
この第１の結合材７１が、本発明の第４の電気泳動装置を構成する「第１部材」に相当し、第２の結合材７２が本発明の第４の電気泳動装置を構成する「第２部材」に相当する。
この実施形態の電気泳動表示装置による表示方法を、図１１を用いて説明する。図１１に示すように、この電気泳動表示装置は、図１０のパネル１０Ｃと駆動回路２０とからなり、駆動回路２０はスイッチ２１と電圧源２２ａ，２２ｂとを備えている。パネル１０Ｃの第１の電極３がスイッチ２１に接続され、第２の電極４が電圧源２２ａ，２２ｂの一端に接続されている。
【手続補正１１】
【補正対象書類名】明細書
【補正対象項目名】００９７
【補正方法】変更
【補正の内容】
【００９７】
また、この装置では、観察面側の第１の電極３に電圧源２２ａ，２２ｂの一端に接続され、第２の電極４にスイッチ２１が接続されている。第１実施形態と同様に、このスイッチ２１を操作して、電気泳動粒子６１及び６２を第１の電極３または第２の電極４側に移動させることにより、各画素を白色または黒色にすることができる。
【手続補正１２】
【補正対象書類名】明細書
【補正対象項目名】００９８
【補正方法】変更
【補正の内容】
【００９８】
この実施形態の電気泳動表示装置によれば、二酸化チタンからなる電気泳動粒子６１に対する化学的親和性が高いアクリル系樹脂からなる第１の層７１ａと、前記親和力が低いシリコーン系樹脂からなる第２の層７２ａを、電気泳動分散液６０からなる層と第１の電極（透明電極）３との間に、第１の電極３側からこの順に設けているため、電圧を印加して画像を表示した後に電圧の印加を止めた場合、表示内容を消えることなく長期間保持することができる。また、消去もスイッチの切り換え直後に良好に行われる。すなわち、この実施形態の電気泳動表示装置は、メモリー性が良好でしかも消去性にも優れたマイクロカプセル型電気泳動装置である。
〔電気泳動装置の構成材料等の例示〕
電気泳動装置の構成材料等としては、前記実施形態で用いたもの以外のものも使用することができる。以下にそれを例示する。
【手続補正１３】
【補正対象書類名】明細書
【補正対象項目名】０１０１
【補正方法】変更
【補正の内容】
【０１０１】
電気泳動粒子６ａの着色剤としては、アニリンブラック、カーボンブラック等の黒色顔料や、亜鉛華、三酸化アンチモン等の白色顔料や、モノアゾ、ジスアゾ、ポリアゾ等のアゾ系顔料や、イソインドリノン、黄鉛、黄色酸化鉄、カドミウムイエロー、チタンイエロー、アンチモン等の黄色顔料や、キナクリドンレッド、クロムバーミリオン等の赤色顔料や、紺青、群青、コバルトブルー等の青色顔料、フタロシアニングリーン等の緑色顔料や、フタロシアニンブルー、インダスレンブルー、アントラキノン系染料などのいずれか一つ、 或いは二つ以上の混合物が挙げられる。
【手続補正１４】
【補正対象書類名】明細書
【補正対象項目名】０１０２
【補正方法】変更
【補正の内容】
【０１０２】
なお、前記顔料には、必要に応じて、金属石鹸、樹脂、ゴム、油、ワニス、コンパウンド等の粒子からなる荷電制御剤や、チタン系カップリング剤、アルミニウム系カップリング剤、シラン系カップリング剤等の分散剤や、電解質や、界面活性剤や、潤滑剤や、安定化剤等を添加してもよい。
液相分散媒６ｂとしては、電気泳動粒子６ａが帯電され易く帯電状態が安定する絶縁性液体、例えば、実質的に水に不溶の有機溶媒を用いる。このような溶媒としては、ドデカノール、ウンデカノール等の長鎖アルコール系溶媒や、ジブチルケトン、メチルイソブチルケトン等の多炭素ケトン類や、ペンタン、ヘキサン、オクタン等の脂肪族炭化水素や、シクロヘキサン、メチルシクロヘキサン等の脂環式炭化水素や、ベンゼン、トルエン、キシレン、ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素や、塩化メチレン、クロロホルム、四塩化炭素、１，２−ジクロロエタン等のハロゲン化炭化水素や、シリコンオイル、オリーブオイル等の種々の油類のいずれか単体、或いはこれらの混合物が挙げられる。
【手続補正１５】
【補正対象書類名】明細書
【補正対象項目名】０１１９
【補正方法】変更
【補正の内容】
【０１１９】
次に、図１３（Ｆ）に示すように、この溶解液内にホルマリン溶液（関東化学株式会社製）を２．７ミリリットル添加した。さらに、図１３（Ｇ）に示すように、この溶解液内に１０％炭酸ナトリウム溶液を２２ミリリットル滴下した。
次に、図１３（Ｈ）に示すように、冷却を止めてこの溶解液全体を室温に戻し、同じ回転速度でさらに攪拌した。この攪拌を一夜行うことにより、図１３（Ｉ）に示すように、マイクロカプセルが水に分散されたマイクロカプセル分散液が得られた。このマイクロカプセルのカプセル膜はゼラチンとアラビアゴムの１：１の混合物からなり、このカプセル膜内に電気泳動分散液（白色のＴｉＯ２  粒子＋青色のドデシルベンゼン）が入っている。
【手続補正１６】
【補正対象書類名】明細書
【補正対象項目名】符号の説明
【補正方法】変更
【補正の内容】
【符号の説明】
１…第１の基板，２…第２の基板，３…第１の電極（透明電極），４…第２の電極，５…マイクロカプセル，６…電気泳動分散液，６ａ…電気泳動粒子，６ｂ…液相分散媒，６０…電気泳動分散液，６１…電気泳動粒子，６２…電気泳動粒子，６３…液相分散媒，７…結合材（部材），７１…第１の結合材（第１部材），７２…第２の結合材（第２部材），７１ａ…第１の層（第１部材），７２ａ…第２の層（第２部材），８…隔壁，１０…電気泳動表示パネル（電気泳動装置），１０Ａ…電気泳動表示パネル（電気泳動装置），１０Ｂ…電気泳動表示パネル（電気泳動装置），１０Ｃ…電気泳動表示パネル（電気泳動装置），２０…駆動回路，２１…スイッチ，２２ａ…電圧源，２２ｂ…電圧源，２００…電子ペーパー（電子機器），２０１…本体，２０２…電子泳動表示パネル，２０５…端子部，３００…電子ノート（電子機器），３０１…カバー，４００…電子ペーパーの書き換え／表示装置，４０１…ハウジング，４０２ａ…搬送ローラ対，４０２ｂ…搬送ローラ対，４０３…矩形孔，４０４…透明ガラス板，４０５…挿入口，４０７…ソケット，４０８…コントローラー，４０９…操作部，５００…電子ブック（電子機器），５０１…本体，５０２…カバー，５０３…表示部，５０４…操作部，６００…モバイル型パーソナルコンピュータ（電子機器），６０１…キーボード，６０２…本体部，６０３…表示ユニット，７００…携帯電話（電子機器），７０１…  操作ボタン，７０２…受話口，７０３…送話口，７０４…表示パネル，８００…ディジタルスチルカメラ（電子機器），８０１…ケース，８０２…表示パネル，８０３…受光ユニット，８０４…シャッタボタン，８０５…回路基板，８０６…ビデオ信号出力端子，８０６Ａ…テレビモニタ，８０７…入出力端子，８０７Ａ…パーソナルコンピュータ。